(57)【要約】【課題】広い設置スペースを必要とせず、簡単に設置することのできる、新規の直立型魚道を提供する。【解決手段】上面がＬ字状に開口した容器状に形成され内部にスロープ６を備えた複数のユニット１，１’，１''，１'''を、相互に対向させながら積み上げた。接続部３’を切り欠き部４に接続し、接続部３''を切り欠き部４’に接続し、接続部３'''を切り欠き部４'’に接続した。広い設置スペースを必要とせず、簡単に設置することができる。【選択図】図３
2011132697.tif 000002
【特許請求の範囲】
【請求項１】
上面がＬ字状に開口した容器状に形成され内部にスロープを備えた複数のユニットを、相互に対向させながら積み上げてなることを特徴とする直立型魚道。
【請求項２】
前記スロープに起伏を設けたことを特徴とする請求項１記載の直立型魚道。
【発明の詳細な説明】
【技術分野】
【０００１】
本発明は、水田と水路の間に設置される直立型魚道に関する。
【背景技術】
【０００２】
近年の水田の用水路や排水路のコンクリート化によって、水田と用水路や排水路の間を魚類や両生類などの水棲動物が往来しくにい環境になってきている。このため、水田と用水路や排水路の間を水棲動物が往来することができるように、小型の魚道を設ける試みがなされている。しかし、従来の水田に設けられている魚道は、直線斜面型であって広い設置スペースを必要とするという問題があった。
【０００３】
一方、河川を対象とした魚道として、設置スペースを省略するために、折り返しブロックを樋状の連絡ブロックで連結し、高さ方向に積み上げることで形成されたジグザグ状の魚道が知られている（例えば、特許文献１）。しかし、この魚道は、設置の際に折り返しブロックを樋状の連絡ブロックで連結するという作業が必要であり、設置作業が面倒であるという問題があった。
【先行技術文献】
【特許文献】
【０００４】
【特許文献１】特開平８−３９７２号公報
【発明の概要】
【発明が解決しようとする課題】
【０００５】
そこで、本発明は、上記の問題を解決し、簡単に設置することのできる、新規の直立型魚道を提供することを目的とする。
【課題を解決するための手段】
【０００６】
本発明の直立型魚道は、上面がＬ字状に開口した容器状に形成され内部にスロープを備えた複数のユニットを、相互に対向させながら積み上げてなることを特徴とする。
【０００７】
また、前記スロープに起伏を設けたことを特徴とする。
【発明の効果】
【０００８】
本発明の直立型魚道によれば、上面がＬ字状に開口した容器状に形成され内部にスロープを備えた複数のユニットを、相互に対向させながら積み上げてなるものであり、広い設置スペースを必要とせず、簡単に設置することができる。
【０００９】
また、前記スロープに起伏を設けたものであり、水の流れを変化させて魚の遡上を容易にすることができる。
【図面の簡単な説明】
【００１０】
【図１】本発明の直立型魚道の一実施例を示すユニットの斜視図である
【図２】本発明の直立型魚道の一実施例を示すユニットの上面図（Ａ）と正面図（Ｂ）である。
【図３】本発明の直立型魚道の一実施例を示すユニットを積み上げた状態を示す上面図（Ａ）と正面図（Ｂ）である。
【図４】本発明の直立型魚道の変形例を示すスロープの上面図である。
【図５】本発明の直立型魚道の別の実施例を示すユニットを途中まで積み上げた状態を示す斜視図である。
【発明を実施するための形態】
【００１１】
以下、本発明の直立型魚道の実施例について、添付した図面を参照しながら説明する。なお、本発明は、以下の実施例により限定されるものではなく、種々の変形実施が可能である。
【実施例１】
【００１２】
本実施例の直立型魚道を構成するユニットを示す図１、図２を参照すると、ユニット１は、本体部２と接続部３とからなり、上面がＬ字状に開口した容器状に形成されている。なお、ユニット１の材質は、特定のものに限定させず、コンクリート、樹脂、金属などから選択することができる。
【００１３】
本体部２は、高さ２ａ＋ｂ、奥行きｄ、幅ｅの直方体の一側、すなわち、図２における左側において、上端に高さａ、奥行きｄ、幅ｃの切り欠き部４を有した形状となっており、上面はすべて開口している。また、本体部２の底面の一部は、一側に向かって上方に傾斜した傾斜面５になっている。
【００１４】
一方、接続部３は、高さａ、奥行きｄ、幅ｃの上面が開口した直方体であって、本体部２の他側、すなわち、図２における右側において、本体部２の奥行き方向に、底面と一側面を共通にして本体部２と接続している。なお、本体部２と接続部３の接続面は開口し、本体部２と接続部３は内部で連通している。
【００１５】
また、本体部２の内部には略長方形のスロープ６が設けられている。スロープ６は、切り欠き部４の上端辺から、本体部２の他側に向かって下方に傾斜し、本体部２の底面まで設けられている。
【００１６】
上記のユニット１を積み上げた状態を図３に示す。最下段のユニット１と２段目のユニット１’は相互に対向しており、２段目のユニット１’の接続部３’は最下段のユニット１の切り欠き部４に接続している。ここで、接続部３’と切り欠き部４の寸法は、いずれも高さａ、奥行きｄ、幅ｃで同じであるので、接続部３’と切り欠き部４は密着している。また、２段目のユニット１’と３段目のユニット１''は相互に対向しており、３段目のユニット１''の接続部３''は２段目のユニット１’の切り欠き部４’に接続している。以下同様に、４段目のユニット１'''の接続部３'''は３段目のユニット１''の切り欠き部４'’に接続し、この例では４つのユニット１，１’，１''，１'''からなる直立型魚道が形成されている。
【００１７】
この直立型魚道において、ユニット１，１’，１''，１'''にはそれぞれ高さａまで水が収容される。図示しない入口部を経由して最下段の接続部３に導入された魚は、本体部２に移動することができる。そして、スロープ６を遡上することにより、２段目の接続部３’に移動することができる。このとき、スロープ６を魚が遡上する高さは、図２に示すように、ａ＋ｂとなる。そして、これを繰り返すことにより、最後に魚は４段目のスロープ６'''を遡上して、図示しない出口部に達することができる。
【００１８】
以上のように、本実施例の直立型魚道によれば、上面がＬ字状に開口した容器状に形成され内部にスロープ６を備えた複数のユニット１，１’，１''，１'''を、相互に対向させながら積み上げてなるものである。広い設置スペースを必要とせず、簡単に設置することができる。
【実施例２】
【００１９】
図４にスロープ６Ａ，６Ｂ，６Ｃ，６Ｄ，６Ｅ，６Ｆに様々な形状の起伏７Ａ，７Ｂ，７Ｃ，７Ｄ，７Ｅ，７Ｆを設けた変形例を示す。スロープ６Ａ，６Ｂ，６Ｃ，６Ｄ，６Ｅ，６Ｆに起伏７Ａ，７Ｂ，７Ｃ，７Ｄ，７Ｅ，７Ｆを設けることにより、水の流れをさまざまに変化させて魚の遡上を容易にすることができる。
【実施例３】
【００２０】
本実施例の直立型魚道を示す図５を参照すると、ユニット11は、本体部12と接続部13とからなり、上面がＬ字状に開口した容器状に形成されている。なお、ユニット１の材質は、特定のものに限定させず、コンクリート、樹脂、金属などから選択することができる。
【００２１】
本体部12の上面はすべて開口しており、本体部12の底面は、一側に向かって上方に傾斜したスロープ14になっている。また、本体部12の一側の側面には、開口部15が形成されている。
【００２２】
一方、接続部13は、本体部12の他側において、本体部12と底面と一側面を共通にして本体部12に接続している。また、接続部13の側面には、開口部16が形成されている。なお、本体部12と接続部13の接続面は開口し、本体部12と接続部13は内部で連通している。
【００２３】
本体部12の底面には、複数の仕切り板17が設けられており、魚の遡上を容易にすることができるようになっている。また、本体部12の側面には切り欠き部18が形成され、ユニットを積み上げたきに採光用の窓が形成されるようになっている。
【００２４】
そして、一方のユニット11の開口部15と他方のユニットの開口部16の位置が一致するように、複数のユニット11が相互に対向して積み上げられている。これにより、一方のユニット11の開口部15と他方のユニット11の開口部16を経由して、隣接するユニット11の間を魚が往来することがでるようになっている。
【００２５】
この直立型魚道において、ユニットの最下段に形成された入口部21に導入された魚は、各ユニットのスロープ14、開口部15、開口部16を経由して遡上し、最上段に達することができる。
【００２６】
以上のように、本実施例の直立型魚道によれば、上面がＬ字状に開口した容器状に形成され内部にスロープ14を備えた複数のユニット11を、相互に対向させながら積み上げてなるものである。広い設置スペースを必要とせず、簡単に設置することができる。
【００２７】
また、スロープ14に起伏としての仕切り板17を設けたものであり、水の流れを変化させて魚の遡上を容易にすることができる。
【符号の説明】
【００２８】
１，１’，１''，１'''，11  ユニット
６，６Ａ，６Ｂ，６Ｃ，６Ｄ，６Ｅ，６Ｆ，14  スロープ
７Ａ，７Ｂ，７Ｃ，７Ｄ，７Ｅ，７Ｆ，17  起伏（仕切り板）
【図１】
2011132697.tif 000003
【図２】
2011132697.tif 000004
【図３】
2011132697.tif 000005
【図４】
2011132697.tif 000006
【図５】
2011132697.tif 000007